(57)【要約】
【課題】　蛇口の取っ手において、蛇口から流出させる時に強制的に取っ手の水平レバーを洗うことができ、コストを抑えて、衛生面での効果を得ることができる蛇口の取っ手を提供することを目的とする。
【解決手段】　上記課題を解決するため、出水口は、本体の最前端が下方に彎曲した部分の下端であり、取っ手は本体底部に取り付けられ、取っ手は１つの側に１つの水平レバーを具備すると共に、出水、止水のコントロールが可能であり、水平レバーをひねり、蛇口前端方向まで回転させて出水させる時、水平レバーは出水口の真下方向に位置するため、取っ手の上記水平レバーを同時に洗い、出水、止水をコントロールするとともに、上記取っ手を同時に洗うことにより、蛇口から流出させる時に強制的に取っ手の水平レバーを洗う構成とされる。
【選択図】　図１
0003098987.tif 000002
【実用新案登録請求の範囲】
【請求項１】
　本体と、組設端と、出水口と、上記本体の１つの側に取り付けられた取っ手とを有する蛇口の取っ手であって、
　上記出水口は、上記本体の最前端が下方に彎曲した部分の下端であり、
　上記取っ手は、上記本体底部に取り付けられ、上記取っ手は１つの側に１つの水平レバーを具備すると共に、出水、止水のコントロールが可能であり、
　上記水平レバーをひねり、蛇口前端方向まで回転させて出水させる時、上記水平レバーは上記出水口の真下方向に位置するため、上記取っ手の上記水平レバーを同時に洗い、出水、止水をコントロールするとともに、上記取っ手を同時に洗うことを特徴とする蛇口の取っ手。
【考案の詳細な説明】
【技術分野】
【０００１】
　本考案は蛇口の取っ手に係るものであり、特に、取っ手が出水口の下方に取り付けられた蛇口の取っ手に係るものである。
【背景技術】
【０００２】
　従来、水道水を出水する蛇口の構造の例を以下に示す。図４は、従来の蛇口を使用した状態を示す側視図である。図４に示すように、従来の蛇口の取っ手３０は、出水口３１の上方に取り付けられた構造で、この種の組み合わせ形態は長期に渡り使用されており、大衆も使い慣れている。人口密度が高くなった現代社会において、公共施設に設置された蛇口はさまざまな人々に使用されており、衛生問題を解決しなければ、簡単に細菌感染や伝染等を引き起こしてしまうと言う心配があり、業界ではすでにセンサー式の蛇口が開発されている。
【考案の開示】
【考案が解決しようとする課題】
【０００３】
　しかしながら、従来のセンサー式の蛇口は、一般の蛇口に比べ、コストがかかり、且つ、電力を消費してしまうという問題点があった。また、従来のセンサー式の蛇口が、一般の蛇口のように多数量を必要とする公共施設（学校等）では使用されることは少なく、従来の蛇口が設置されている場所では蛇口を清潔に保つ為、図４に示すように、手を洗い終わったら、蛇口の取っ手３０を洗うように洗い方の指導を行っているが、この方法では強制的に取っ手３０を洗うと言う目的を達成することができず、又、使用者が必ずしも取っ手３０をきれいに洗い流すとは限らず、衛生的でないという問題点があった。
【０００４】
　本考案は、蛇口の取っ手において、蛇口から流出させる時に強制的に取っ手の水平レバーを洗うことができ、コストを抑えて、衛生面での効果を得ることができる蛇口の取っ手を提供することを目的とする。
【課題を解決するための手段】
【０００５】
　前記の目的を図るために、本考案は、本体と、組設端と、出水口と、上記本体の１つの側に取り付けられた取っ手とを有する蛇口の取っ手であって、上記出水口は、上記本体の最前端が下方に彎曲した部分の下端であり、上記取っ手は、上記本体底部に取り付けられ、上記取っ手は１つの側に１つの水平レバーを具備すると共に、出水、止水のコントロールが可能であり、上記水平レバーをひねり、蛇口前端方向まで回転させて出水させる時、上記水平レバーは上記出水口の真下方向に位置するため、上記取っ手の上記水平レバーを同時に洗い、出水、止水をコントロールするとともに、上記取っ手を同時に洗うことを特徴とする。
【考案の効果】
【０００６】
　本考案の蛇口の取っ手において、出水口は本体の最前端が下方に彎曲した部分の下端であり、取っ手は本体底部に取り付けられ、取っ手は１つの側に１つの水平レバーを具備すると共に、出水、止水のコントロールが可能であり、水平レバーをひねり、蛇口前端方向まで回転させて出水させる時、水平レバーは出水口の真下方向に位置するため、取っ手の水平レバーを同時に洗い、出水、止水をコントロールするとともに、取っ手を同時に洗うことにより、蛇口から流出させる時に強制的に取っ手の水平レバーを洗うことができ、コストを抑えて、衛生面での効果を得ることができる。
【考案を実施するための最良の形態】
【０００７】
　以下に添付図面を参照して本考案のある好適な実施の形態を詳細に説明するが、それらの構成は本考案の構造の絶対的な制限にならない。図１は、本考案の一実施例に係る蛇口の取っ手を組み合わせた状態を示す斜視図である。図２は、本考案の蛇口からの水を止水した状態を示す側視図である。図１、２において、本考案の蛇口の取っ手２０の構造の改良の実施例であり、蛇口は本体１０と組設端１１と出水口１２と本体１０の１つの側に取り付けられた取っ手２０とで構成されている。取っ手２０は出水、止水をコントロールすることができる(今回申請する実用新案にこの蛇口の内部にある出水、止水のコントローラーは無関係である)。また、出水口１２は、本体１０の最前端が下方に彎曲した部分の下端に配置されている。
【０００８】
　蛇口の主な特徴は、取っ手２０の組み合わせ形態であり、取っ手２０が本体１０底部に取り付けられ、取っ手２０は１つの側に１つの水平レバー２１を具備している。水平レバー２１をひねり、蛇口前端方向まで回転させて出水させる時、水平レバー２１は出水口１２の真下方向に位置するため、取っ手２０の水平レバー２１を同時に洗うことができる。
【０００９】
　図３は、本考案の蛇口からの水を流出した時、水平レバーを同時に洗う状態を示す側視図である。図３に示すように、上記構造により、蛇口を使用して出水させる時、取っ手２０の水平レバー２１は出水口１２の真下方向に位置する。これにより、蛇口から水を流したときに、取っ手２０の水平レバー２１を同時に洗うことができ、強制的に取っ手３０を洗うことができる。使用者が手を洗う時、取っ手３０へ意図的に水をかけなければ、洗うという目的を達成することができない従来の蛇口と比べ、明らかに簡単に水平レバー２１を洗うことができる。社会的に重視される衛生面においても飛躍的に向上し、且つ、蛇口の内部構造は従来の構造でも適応可能であり、センサー式の蛇口の電気コントローラーを必要としない為、コストを低く抑えることができる為、価格も自然と安くなり、公共施設等で使用しても、経済的負担にはならない。
【００１０】
　従って、本考案の蛇口の取っ手２０は、取っ手２０が出水口１２の下方に取り付けられた蛇口の構造を提供することができる。
【００１１】
　また、本考案の蛇口の取っ手２０は、蛇口を使用して出水させる時、取っ手２０を同時に洗うことができ、衛生的に効果のある蛇口を提供することができる。
【００１２】
　また、本考案の蛇口の取っ手２０の内部構造は、従来の構造で適応可能であり、センサー式の蛇口のように電気コントローラーを必要としない為、コストを低く抑えることができる為、価格も自然と安くなり、公共施設等で使用しても、経済的負担にはならない。
【００１３】
　尚、本考案の蛇口の取っ手は上記の構成に限定されることなく、本考案の蛇口の取っ手を変形及び改良した構成においても適応可能である。
【産業上の利用可能性】
【００１４】
　前記の説明と図面の掲載からわかるように、本考案の蛇口の取っ手において、出水口は本体の最前端が下方に彎曲した部分の下端であり、取っ手は本体底部に取り付けられ、取っ手は１つの側に１つの水平レバーを具備すると共に、出水、止水のコントロールが可能であり、水平レバーをひねり、蛇口前端方向まで回転させて出水させる時、水平レバーは出水口の真下方向に位置するため、取っ手の水平レバーを同時に洗い、出水、止水をコントロールするとともに、取っ手を同時に洗うことにより、蛇口から流出させる時に強制的に取っ手の水平レバーを洗うことができ、コストを抑えて、衛生面での効果を得ることができる。
【図面の簡単な説明】
【００１５】
【図１】本考案の一実施例に係る蛇口の取っ手を組み合わせた状態を示す斜視図である。
【図２】本考案の蛇口からの水を止水した状態を示す側視図である。
【図３】本考案の蛇口からの水を流出した時、水平レバーを同時に洗う状態を示す側視図である。
【図４】従来の蛇口を使用した状態を示す側視図である。
【符号の説明】
【００１６】
　１０　　　　　　　本体
　１１　　　　　　　組設端
　１２、３１　　　　出水口
　２０、３０　　　　取っ手
　２１　　　　　　　水平レバー
【図１】
0003098987.tif 000003
【図２】
0003098987.tif 000004
【図３】
0003098987.tif 000005
【図４】
0003098987.tif 000006